(57)【要約】【課題】同一の紙葉類に対する重複した処理を正確且つ早期に検出する。【解決手段】紙幣処理装置１００は、紙幣を取り込むホッパ部２と、ホッパ部２から取り込まれた紙幣の記番号を読み取る識別部３と、識別部３により読み取られた記番号を記憶するデータベース１２０２と、紙幣の処理を行う制御部１２０とを備えている。制御部１２０は、データベース１２０２に記憶された記番号の中から重複した記番号を調査し、重複した記番号が存在することをもって、重複した記番号に対応した紙幣に対して重複して処理が行われたことを検出する。【選択図】図８
2015184712.tif 000002
【特許請求の範囲】
【請求項１】
紙葉類を取り込む取込部と、
前記取込部から取り込まれた紙葉類の記番号を読み取る識別部と、
前記識別部により読み取られた記番号を記憶する記憶部と、
紙葉類の処理を行う処理部とを備え、
前記処理部は、前記記憶部に記憶された記番号の中から重複した記番号を調査し、重複した記番号が存在することをもって、該重複した記番号に対応した紙葉類に対して重複して処理が行われたことを検出する紙葉類処理装置。
【請求項２】
請求項１に記載の紙葉類処理装置において、
前記処理部は、重複した処理を検出した場合に、重複した処理の検出をユーザに報知する紙葉類処理装置。
【請求項３】
請求項２に記載の紙葉類処理装置において、
情報を表示する表示部を備え、
前記処理部は、重複した記番号を前記表示部に表示させることによって、重複した処理の検出をユーザに報知する紙葉類処理装置。
【請求項４】
請求項２又は３に記載の紙葉類処理装置において、
前記処理部は、重複した処理に対する対応をユーザに選択させる紙葉類処理装置。
【請求項５】
請求項４に記載の紙葉類処理装置において、
前記重複した処理に対する対応は、重複した記番号に対する処理のうちの１つを残し、それ以外の処理を取り消すか又は、重複した処理をそのまま確定させるかである紙葉類処理装置。
【請求項６】
請求項１に記載の紙葉類処理装置において、
前記処理部は、重複した処理を検出した場合に、重複した記番号に対する処理のうちの１つを残し、それ以外の処理を取り消す紙葉類処理装置。
【請求項７】
請求項６に記載の紙葉類処理装置において、
情報を表示する表示部を備え、
前記処理部は、重複した処理を検出した場合に、重複した処理の検出を前記表示部を介してユーザに報知する紙葉類処理装置。
【請求項８】
請求項１乃至７の何れか１つに記載の紙葉類処理装置において、
前記処理部は、所定の操作が実行されたときに、重複した記番号の調査を実行する紙葉類処理装置。
【請求項９】
請求項８に記載の紙葉類処理装置において、
前記所定の操作は、前記処理部による処理を確定させる操作である紙葉類処理装置。
【請求項１０】
請求項１乃至９の何れか１つに記載の紙葉類処理装置において、
前記処理部による処理は、紙葉類の計数である紙葉類処理装置。
【発明の詳細な説明】
【技術分野】
【０００１】
ここに開示された技術は、紙葉類処理装置に関するものである。
【背景技術】
【０００２】
従来より、紙葉類に関する種々の処理を行う紙葉類処理装置が知られている。例えば、特許文献１に係る紙葉類処理装置は、紙葉類の入金処理及び出金処理を行う。この紙葉類処理装置は、紙葉類の記番号を読み取っており、搬送エラーが生じたときには、搬送エラーを生じさせた紙葉類を記番号に基づいて特定し、その紙葉類のみを受け入れ可能としている。
【先行技術文献】
【特許文献】
【０００３】
【特許文献１】特開２０１２−２７５５６号公報
【発明の概要】
【発明が解決しようとする課題】
【０００４】
ところで、紙葉類処理装置においては、同一の紙葉類に対して重複して処理が行われると、違算につながる虞がある。例えば、入金処理において、計数を終了した紙葉類をオペレータが再度、計数させてしまった場合には、誤った入金額で入金処理が確定してしまう。違算が生じた場合、通常は、その後のどこかのタイミングで違算が発覚するが、そのときでは、違算が発生した時期、場所及び原因等の特定や違算に対する対応等が煩雑又は困難になってしまう。
【０００５】
ここに開示された技術は、かかる点に鑑みてなされたものであり、同一の紙葉類に対する重複した処理を正確且つ早期に検出する。
【課題を解決するための手段】
【０００６】
ここに開示された技術は、紙葉類処理装置が対象である。この紙葉類処理装置は、紙葉類を取り込む取込部と、前記取込部から取り込まれた紙葉類の記番号を読み取る識別部と、前記識別部により読み取られた記番号を記憶する記憶部と、紙葉類の処理を行う処理部とを備え、前記処理部は、前記記憶部に記憶された記番号の中から重複した記番号を調査し、重複した記番号が存在することをもって、該重複した記番号に対応した紙葉類に対して重複して処理が行われたことを検出する。
【０００７】
この構成によれば、取込部から取り込まれた紙葉類は、識別部によって記番号が読み取られ、該記番号は記憶部に記憶される。そして、処理部は、該紙葉類に対して所定の処理を実行する。ここで、記番号は、各紙葉類に固有の識別番号であるので、記憶部に重複した記番号が記憶されていると、それは、同一の紙葉類が重複して取り込まれ、識別され、処理が行われたことを意味する。そこで、処理部は、記憶部に重複した記番号が存在することをもって、同一の紙葉類に対して重複して処理が行われたことを検出している。このように、固有の識別番号である記番号に基づいているので、重複処理を正確に検出することができる。また、この紙葉類処理装置において重複処理の検出も行うので、重複処理を早期に検出することができる。
【０００８】
また、前記処理部は、重複した処理を検出した場合に、重複した処理の検出をユーザに報知するようにしてもよい。
【０００９】
これにより、重複処理がユーザに報知されるので、ユーザは、重複処理に対して早期に対応することができる。
【００１０】
さらに、紙葉類処理装置は、情報を表示する表示部を備え、前記処理部は、重複した記番号を前記表示部に表示させることによって、重複した処理の検出をユーザに報知するようにしてもよい。
【００１１】
この構成によれば、ユーザは、重複処理が行われた記番号を知ることができる。これにより、例えば、ユーザは、該記番号に対応する紙葉類を実際に確認することによって重複処理の原因や、重複処理が実際に行われたのかを調べることができる。
【００１２】
また、前記処理部は、重複した処理に対する対応をユーザに選択させるようにしてもよい。
【００１３】
これにより、重複処理を検出した場合に、ユーザに所望の対応を取らせることができる。
【００１４】
具体的には、前記重複した処理に対する対応は、重複した記番号に対する処理のうちの１つを残し、それ以外の処理を取り消すか又は、重複した処理をそのまま確定させるかであってもよい。
【００１５】
この構成によれば、重複処理が検出されたときには、重複処理の１つ以外の処理を取り消すか、重複処理の検出を無視するかがユーザに選択される。まず、前者によれば、重複処理が修正され、重複処理のうち１つだけが残ることになり、重複処理が解消される。一方、後者によれば、記番号の重複があったとしても、処理はそのまま確定される。例えば、識別部が記番号を誤って読み取った場合などは、実際には重複処理は行われていないけれども、記番号が重複している状況が起こり得る。また、重複処理に対する対応を先送りして、処理を先に進めたい場合などもあり得る。このような場合には、後者の選択肢が採用され得る。
【００１６】
また、前記処理部は、重複した処理を検出した場合に、重複した記番号に対する処理のうちの１つを残し、それ以外の処理を取り消すようにしてもよい。
【００１７】
つまり、重複処理が検出されたときに、その対応をユーザが決定するのではなく、処理部が自動的に対応する。具体的には、処理部は、重複した記番号に対する処理のうちの１つを残し、それ以外の処理を取り消す。これにより、重複処理が修正され、重複処理のうち１つだけが残ることになる。
【００１８】
さらに、紙葉類処理装置は、情報を表示する表示部を備え、前記処理部は、重複した処理を検出した場合に、重複した処理の検出を前記表示部を介してユーザに報知するようにしてもよい。
【００１９】
前述の如く、処理部が重複処理に対して自動的に対応する場合であっても、重複した処理の検出がユーザに報知される。ユーザは、重複処理に対して特段の対応を取る必要はないが、重複した処理があったことを知ることができる。
【００２０】
また、前記処理部は、所定の操作が実行されたときに、重複した記番号の調査を実行するようにしてもよい。
【００２１】
つまり、処理部は、ユーザからの何らかの操作があったときに記番号の重複を調査する。
【００２２】
具体的には、前記所定の操作は、前記処理部による処理を確定させる操作であってもよい。
【００２３】
この構成によれば、処理を確定させるときに、記番号の重複が一括して調査される。例えば、記番号が識別部に読み取られるごとに、その記番号を記憶部に記憶された記番号と照合して、記番号の重複を調査することも考え得る。しかし、この場合、紙葉類の取り込みの度に記番号の照合が行われるため、全体的な処理の時間が長くなってしまう。それに対して、処理の確定操作後に一括して記番号の重複を調査することによって、全体的な処理の時間を短縮することができる。
【００２４】
また、前記処理部による処理は、紙葉類の計数であってもよい。
【００２５】
この場合、重複処理はすなわち、紙葉類を重複して計数することであり、違算に直結してしまう。そのため、重複処理を検出することによって、集計枚数を修正して、違算を防止することができる。
【発明の効果】
【００２６】
前記紙葉類処理装置によれば、同一の紙葉類に対する重複した処理を正確且つ早期に検出することができる。
【図面の簡単な説明】
【００２７】
【図１】紙幣処理装置の外観図である。
【図２】紙幣処理装置の概略構成図である。
【図３】結束スタッカ及び結束部の概略構成図である。
【図４】結束スタッカの主要部の斜視図である。
【図５】結束スタッカのステージ及びガイドが移動した状態の図４に相当する斜視図である。
【図６】結束スタッカの一部を省略した概略平面図を示す。
【図７】紙幣処理装置の概略構成を示すブロック図である。
【図８】重複処理調査におけるフローチャートである。
【発明を実施するための形態】
【００２８】
以下、例示的な実施形態を図面に基づいて詳細に説明する。
【００２９】
〈紙幣処理装置の概略構成〉
図１は、紙幣処理装置１００の外観図を示し、図２は、紙幣処理装置１００の概略構成図を示す。
【００３０】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。紙幣処理装置１００は、紙葉類処理装置の一例であり、紙幣は、紙葉類の一例である。
【００３１】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００３２】
筐体１２は、上面１２１と、下面１２２と４つの側面とを有している。筐体１２は、卓上型である。つまり、筐体１２の下面１２２には、キャスタ等が設けられておらず、卓上に設置される構造となっている。
【００３３】
筐体１２の４つの側面のうちの１つの側面である第１側面１２３には、ホッパ部２及び投出部１１が設けられている。４つの側面のうちの１つの側面である第２側面１２４には、詳しくは後述する結束スタッカ４の第１取出口４９及び非結束スタッカ５の第２取出口５３が設けられている。第１側面１２３と第２側面１２４とは、隣接している。
【００３４】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００３５】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。結束スタッカ４は、集積部の一例である。
【００３６】
第１及び第２結束スタッカ４Ａ，４Ｂは、第２処理部１２７内において実質的に上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００３７】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５の詳細な構成については後述する。非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。
【００３８】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６の詳細な構成については後述する。リジェクトスタッカ６に集積する紙幣は適宜設定することができる。ここでは、リジェクトスタッカ６は、「指定外紙幣」、「異常紙幣」及び「搬送異常紙幣」をリジェクト紙幣として集積する。
【００３９】
ホッパ部２は、第１側面１２３のうち第１処理部１２６に対応する部分に設けられ、投出部１１は、第１側面１２３のうち第２処理部１２７に対応する部分に設けられている。
【００４０】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００４１】
取込口２４は、図１に示すように、載置台２１と第１側面１２３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１２内へ取り込まれる。
【００４２】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する第１紙幣センサ４７、第２紙幣センサ４８、集積センサ５２、集積センサ６２、通過センサ７４、第１テープセンサ９２１０、第２テープセンサ９２１１も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００４３】
ガイド部２２，２２は、その間隔を調整可能に構成されている。つまり、ガイド部２２，２２の間隔は、載置台２１上に載置された紙幣に合わせて調整される。
【００４４】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１２内へ取り込まれる。取り込まれた紙幣は、第１搬送部７へ送られる。
【００４５】
投出部１１は、結束紙幣が投出される投出口１１１を有している。投出部１１においては、投出口１１１を介して、結束紙幣が紙幣の短手方向に投出される。
【００４６】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。第１搬送部７は、搬送部の一例である。
【００４７】
主搬送路７１は、取込ローラ２３から第１結束スタッカ４Ａまで延びている。第１分岐路７２ａは、主搬送路７１の最も上流側に位置しており、第１分岐路７２ａから下流側に向かって、第２分岐路７２ｂ、第３分岐路７２ｃ、第４分岐路７２ｄがこの順で位置している。第１〜第４分岐路７２ａ〜７２ｄのそれぞれを区別しないときには、単に分岐路７２と称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００４８】
振り分け機構７３は、ソレノイド（図示省略）によって駆動される。振り分け機構７３は、主搬送路７１を搬送された紙幣を分岐路７２へ分岐させるか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００４９】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、金種、真偽、及び正損を識別する。
【００５０】
尚、識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。尚、識別部３におけるセンサ以外の機能を、後で述べる制御部１２０が行ってもよい。
【００５１】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００５２】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。第２搬送部８は、紙葉類搬送部の一例である。
【００５３】
把持ユニット８１は、上アーム部８１ａと、上アーム部８１ａと相対向する下アーム部８１ｂと、上アーム部８１ａを上下方向へ移動させる把持機構とを有している。上アーム部８１ａは、互いに平行に延びる３本の指部と、３本の指部を連結する連結部とを有している。同様に、下アーム部８１ｂは、互いに平行に延びる３本の指部と、３本の指部を連結する連結部とを有している。把持機構は、上アーム部８１ａを上下方向に移動可能に支持すると共に、モータ及び駆動ベルトによって上アーム部８１ａを上下に移動させる。これにより、上アーム部８１ａと下アーム部８１ｂとで紙幣を把持することができる。
【００５４】
第１水平移動機構は、把持ユニット８１を第１水平方向に移動可能に支持しており、モータ及び駆動ベルトによって把持ユニット８１を第１水平方向に移動させる。
【００５５】
上下移動機構は、第１水平移動機構を上下方向に移動可能に支持しており、モータ及び駆動ベルトによって第１水平移動機構を上下方向に移動させる。
【００５６】
第２水平移動機構は、上下移動機構を第２水平方向に移動可能に支持しており、モータ及び駆動ベルトによって上下移動機構を第２水平方向に移動させる。
【００５７】
このように、把持ユニット８１は、第１水平移動機構、第２水平移動機構及び上下移動機構によって直交する３軸に沿った方向に移動可能に構成されている。
【００５８】
第３搬送部１０は、結束紙幣を投出部１１まで搬送する。第３搬送部１０は、上把持部１０１と、下把持部１０２と、上把持部１０１及び下把持部１０２を第１水平方向へ移動させる水平移動機構とを有している。水平移動機構は、上把持部１０１を第１水平方向へ移動させる際に上把持部１０１を上下方向にも移動させる。詳しくは、第３搬送部１０は、結束部９の側方を第１水平方向へ通過するように構成されている。第３搬送部１０は、結束部９に対して投出部１１と反対側に位置するときには、上把持部１０１は下把持部１０２から上方へ十分に離間している。上把持部１０１は、この位置から結束部９の結束紙幣へ近づくにつれて下方へ移動し、結束紙幣に到達したときには上把持部１０１と下把持部１０２とで結束紙幣を把持した状態となる。上把持部１０１及び下把持部１０２は、結束紙幣を把持した状態で結束紙幣を投出部１１近傍まで搬送する。上把持部１０１は、投出部１１の近傍において、投出部１１へ近づくにつれて上方へ移動する。その結果、上把持部１０１と下把持部１０２とで把持された結束紙幣は、投出部１１において上把持部１０１及び下把持部１０２による把持が解除され、投出部１１へ投出される。
【００５９】
筐体１２の第２側面１２４には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００６０】
〈結束スタッカ４の構成〉
図３に、結束スタッカ４及び結束部９の概略構成図を示す。
【００６１】
結束スタッカ４は、第１搬送部７を介して搬送されてきた紙幣Ｂを積み重ねて集積する。紙幣Ｂは、一方の長辺を前側にして、その短手方向に搬送され、結束スタッカ４内へ入ってくる。結束スタッカ４は、図３に示すように、紙幣Ｂが載置されるステージ４１と、紙幣Ｂの搬送方向前側の長辺を揃えるためのガイド４２と、結束スタッカ４の天井を規定する天板４３と、後述する第１取出口４９を開閉する扉４４（図１参照）、集積された紙幣の端部を揃える整列機構４５（図６参照）と、搬送されてきた紙幣Ｂを結束スタッカ４へ搬入する羽根車４６と、結束スタッカ４内の紙幣Ｂを検知する第１紙幣センサ４７と、結束スタッカ４内の所定高さの紙幣Ｂを検知する第２紙幣センサ４８とを有している。ステージ４１、ガイド４２、扉４４及び整列機構４５の詳細な構成については後述する。
【００６２】
羽根車４６は、可撓性を有する複数の羽を有しており、結束スタッカ４へ搬送されてきた紙幣Ｂの、搬送方向後側の端部を叩いて、紙幣Ｂの落下を促進させる役割を有している。紙幣Ｂが結束スタッカ４内に連続的に搬入される場合であっても、後の紙幣Ｂが先の紙幣Ｂの後端部に入り込むことを防止し、紙幣Ｂを１枚ずつ順に上から積み重ねていくことができる。
【００６３】
第１紙幣センサ４７は、１つの結束スタッカ４につき複数設けられている。本実施形態では、結束スタッカ４内において紙幣Ｂの搬送方向における異なる位置に２つの第１紙幣センサ４７，４７が設けられている。第１紙幣センサ４７は、紙幣センサ２５と同様の構成をしている。各第１紙幣センサ４７は、結束スタッカ４内の紙幣Ｂの集積方向に光を送信するように配置されている。つまり、第１紙幣センサ４７は、光が遮断されることによって、結束スタッカ４内に紙幣Ｂが存在することを検知することができる。また、搬送方向の異なる位置に２つの第１紙幣センサ４７，４７を設けることによって、結束スタッカ４内において搬送方向における紙幣Ｂの位置にばらつきがあったとしても、何れかの第１紙幣センサ４７により紙幣Ｂの存在を検知することができる。尚、第１紙幣センサ４７は、紙幣Ｂの搬送方向及び紙幣Ｂの厚み方向の両方に直交する方向（図２における紙面奥行き方向）における異なる位置に複数設けられていてもよい。
【００６４】
第２紙幣センサ４８は、結束スタッカ４内において所定の高さに位置する紙幣Ｂを検知するように構成されている。第２紙幣センサ４８は、紙幣センサ２５と同様の構成をしている。第２紙幣センサ４８は、前記所定の高さよりも高い位置に紙幣Ｂが存在するときには、送信部から受信部に向かう光が該紙幣Ｂにより遮断される一方、紙幣Ｂが前記所定の高さよりも高い位置に存在しないときには、送信部からの光が受信部に到達するように配置されている。
【００６５】
図４に、結束スタッカ４の主要部の斜視図を示す。図５に、結束スタッカ４のステージ４１及びガイド４２が移動した状態の図４に相当する斜視図を示す。図６に、結束スタッカ４の一部を省略した概略平面図を示す。ただし、図５においては、扉４４及びフレーム４４ａを破線で図示している。
【００６６】
ステージ４１は、上下に移動可能に構成されている。具体的には、ステージ４１は、上下移動部４１ａに連結されている。上下移動部４１ａは、上下に延びるシャフト（図示省略）に対して上下に移動可能に取り付けられ、モータ（図示省略）により上下に駆動される。ステージ４１は、櫛歯形状をしている。
【００６７】
ガイド４２は、紙幣Ｂの搬送方向に移動可能に構成されている。詳しくは、ガイド４２は、上側ガイド４２ａと、下側ガイド４２ｂとを有している。上側ガイド４２ａは、紙幣Ｂの搬送方向に移動する一対のフレーム４２ｃ，４２ｃに設けられた回転シャフト４２ｄに取り付けられている。一対のフレーム４２ｃ，４２ｃは、搬送方向に延びる水平シャフト（図示省略）に対して移動可能に取り付けられ、モータ（図示省略）により該水平シャフトに沿って駆動される。回転シャフト４２ｄは、一対のフレーム４２ｃ，４２ｃに回転自在に支持されている。回転シャフト４２ｄは、モータ（図示省略）によって回転駆動される。上側ガイド４２ａは、回転シャフト４２ｄと一体的に回転する。一方、下側ガイド４２ｂは、一対のフレーム４２ｃ，４２ｃに固定されている。下側ガイド４２ｂは、上側ガイド４２ａの下方に設けられている。上側ガイド４２ａは、４本の櫛歯状に形成されている。同様に、下側ガイド４２ｂは、４本の櫛歯状に形成されている。
【００６８】
上側ガイド４２ａが回転シャフト４２ｄから垂れ下がった状態においては、上側ガイド４２ａと下側ガイド４２ｂとで、結束スタッカ４における搬送方向前側の壁を構成する。このとき、上側ガイド４２ａの櫛歯と下側ガイド４２ｂの櫛歯とによって、上下に延びる３本のスリットが形成される。このうち両端の２つのスリットは、ステージ４１の２本の櫛歯が進入可能な位置に配置されている。前述の如く、上側ガイド４２ａ及び下側ガイド４２ｂは、フレーム４２ｃ，４２ｃの移動に伴って紙幣Ｂの搬送方向の前後に移動する。このとき、ステージ４１の櫛歯が上側ガイド４２ａの櫛歯と下側ガイド４２ｂの櫛歯とによって形成されるスリットに進入することによって、ステージ４１と上側ガイド４２ａ及び下側ガイド４２ｂとの干渉が回避される。また、スリットは上下に延びているので、ステージ４１が上下に移動する場合であっても、ステージ４１の櫛歯と上側ガイド４２ａ及び下側ガイド４２ｂとの干渉が回避される。
【００６９】
一方、上側ガイド４２ａは、回転シャフト４２ｄの回転に伴って搬送方向前側に開くように回転することにより、結束スタッカ４を搬送方向前側に開口させる。
【００７０】
結束スタッカ４において紙幣Ｂの搬送方向及び紙幣Ｂの集積方向の両方に直交する方向（以下、「幅方向」という）の端部には、概ね方形のフレーム４４ａが設けられている。フレーム４４ａには、概ね方形の第１取出口４９が形成されている。
【００７１】
扉４４は、フレーム４４ａの一辺に設けられた回転軸回りに回転自在に取り付けられている。扉４４は、第１取出口４９を開放する開状態と第１取出口４９を閉鎖する閉状態との間で回転する。扉４４は、回転軸に設けられたコイルバネ（図示省略）によって、開状態となる方向に付勢されている。扉４４は、外部から内部を目視可能な材料で構成されている。例えば、扉４４は、透明又は半透明な材料（例えば、ガラスや樹脂）で構成されている。第１取出口４９は、取出口の一例である。
【００７２】
また、扉４４には、図６に示すように、ロック機構４４ｃが設けられている。ロック機構４４ｃは、扉４４を閉状態に拘束する拘束状態と、扉４４を開閉自在にする解除状態との間で切換可能に構成されている。具体的には、ロック機構４４ｃは、フレーム４４ａに設けられたピン４４ｄと、ピン４４ｄを駆動するソレノイド等を含む駆動機構４４ｅと、扉４４に設けられ、ピン４４ｄが係合する被係合部４４ｆとを有している。ロック機構４４ｃは、制御部１２０により、結束スタッカ４ごとに個別に制御される。つまり、扉４４は、個別に開閉可能となる。
【００７３】
ロック機構４４ｃは、少なくとも前記第１、第２及び第３搬送部７，８，１０による紙幣の搬送、結束スタッカ４への紙幣の集積並びに前記結束部９による紙幣の結束に影響を及ぼさないときに扉４４の拘束が解除可能となる。すなわち、ロック機構４４ｃは、少なくとも紙幣の搬送、集積及び結束に影響を及ぼすときには拘束状態となっている。そして、紙幣の搬送、集積及び結束に影響を及ぼさないときには、ロック機構４４ｃは、拘束状態から解除状態に変更することができる。尚、ロック機構４４ｃは、紙幣の搬送、集積及び結束に影響を及ぼさないときには必ず解除状態となるわけではない。制御部１２０の制御によっては、紙幣の搬送、集積及び結束に影響を及ぼさないときであっても、ロック機構４４ｃは拘束状態とされる場合もある。
【００７４】
扉４４の内側には、紙幣Ｂの短辺が当接するストッパ４４ｇ（図１では省略）が設けられている。ストッパ４４ｇは、外部から内部を目視可能な材料で構成されている。例えば、ストッパ４４ｇは、透明又は半透明な材料（例えば、ガラスや樹脂）で構成されている。
【００７５】
整列機構４５は、結束スタッカ４において、扉４４とは反対側に設けられている。つまり、整列機構４５は、結束スタッカ４内の紙幣Ｂの、扉４４とは反対側の短辺と対向する位置に設けられている。整列機構４５は、幅方向の紙幣の端部を揃える。本実施形態では、紙幣が短手方向に搬送されるので、幅方向は紙幣の長手方向に相当する。すなわち、整列機構４５は、紙幣の短辺を揃える。整列機構４５は、紙幣Ｂの集積方向に延びる回転軸回りに回転自在に設けられたアーム４５ａと、アーム４５ａを回転させるステッピングモータ４５ｂとを有している。整列機構４５は、紙幣Ｂの短辺を扉４４に向けてアーム４５ａにより押圧することによって紙幣の反対側の短辺をストッパ４４ｇに当接させる。つまり、整列機構４５は、扉４４と協働して、紙幣Ｂの短辺を揃える。こうすることによって、結束スタッカ４内の紙幣は、ストッパ４４ｇに当接した状態に整列させられる。
【００７６】
〈非結束スタッカ５の構成〉
非結束スタッカ５は、紙幣を積み重ねて集積する。非結束スタッカ５は、図２に示すように、紙幣を集積する容器５０と、搬送されてきた紙幣を容器５０内へ搬入する羽根車５１と、紙幣の有無を検知する集積センサ５２とを有している。
【００７７】
非結束スタッカ５の容器５０の底部は、傾斜している。これにより、容器５０へ搬入された紙幣は、底部の低い方の端部へ集まる。
【００７８】
集積センサ５２は、容器５０の底部の低い方の端部に設けられている。集積センサ５２は、紙幣センサ２５と同様の構成をしており、光が遮断されることによって容器５０内の紙幣を検知する。集積センサ５２は、容器５０内の紙幣により光が遮断されるように配置されている。
【００７９】
羽根車５１は、複数の羽を有しており、搬送されてきた紙幣を羽の間で保持して、容器５０内へ搬入する。紙幣は、容器５０の底部近傍において羽根車５１の羽から離脱し、容器５０内に集積される。
【００８０】
容器５０は、図１に示すように、筐体１２の第２側面１２４に開口している。すなわち、第２側面１２４には、非結束スタッカ５に集積された紙幣を筐体１２の外部に取り出すための第２取出口５３が設けられている。第２取出口５３には、扉が設けられておらず、開放されている。第１非結束スタッカ５Ａの第２取出口５３と第２非結束スタッカ５Ｂの第２取出口５３とは、第２側面１２４において水平方向に並んで開口している。
【００８１】
また、非結束スタッカ５には、集積された紙幣を第２取出口５３の方へ押し出すための押出機構５４が設けられている。押出機構５４は、容器５０の奥側（第２取出口５３と反対側）に設けられており、奥側から手前側（第２取出口５３の側）に紙幣を押し出すように構成されている。
【００８２】
〈リジェクトスタッカ６の構成〉
リジェクトスタッカ６は、紙幣を積み重ねて集積する。リジェクトスタッカ６は、図２に示すように、紙幣を集積する容器６０と、搬送されてきた紙幣を容器６０内へ搬入する羽根車６１と、紙幣の有無を検知する集積センサ６２と、容器６０内の紙幣が外部へ排出されることを防止するストッパ６４，６４とを有している。
【００８３】
詳しくは、リジェクトスタッカ６の容器６０は、図１に示すように、筐体１２の第１側面１２３に開口している。すなわち、第１側面１２３には、リジェクトスタッカ６に集積された紙幣を筐体１２の外部に取り出すためのリジェクト取出口６３が設けられている。リジェクト取出口６３は、第１側面１２３において、取込口２４の上方に開口している。リジェクト取出口６３には、扉が設けられておらず、開放されている。
【００８４】
容器６０の底部は、第１側面１２３から離れるに従って下方に位置するように傾斜している。そのため、容器６０内の紙幣は、第１側面１２３から内側へ入り込んだ位置に集積されていく。これにより、容器６０内に搬入された紙幣が、そのまま第１側面１２３のリジェクト取出口６３から外部へ排出されることを防止することができる。
【００８５】
さらに、２つのストッパ６４，６４は、容器６０の底部のうち、第１側面１２３側の端縁に設けられている。ストッパ６４は、底部の第１側面１２３側の端縁と平行に延びる軸回りに回動自在に支持されると共に、付勢バネ（図示省略）で付勢されて、容器６０の底部に対して立ち上がった状態となっている。これらストッパ６４，６４によっても、容器６０内の紙幣が第１側面１２３のリジェクト取出口６３から外部へ排出されることを防止することができる。尚、リジェクトスタッカ６に集積された紙幣をリジェクト取出口６３から抜き出すときには、ストッパ６４，６４を付勢バネの弾性力に抗して倒すことによって、紙幣を抜き出すことができる。
【００８６】
羽根車６１は、可撓性を有する複数の羽を有しており、容器６０内に落下する紙幣の、搬送方向後側の端部を叩き落とす役割を有している。紙幣が容器６０内に連続的に搬入される場合であっても、後の紙幣が先の紙幣の後端部に入り込むことを防止し、紙幣を１枚ずつ順に上方に積み重ねていくことができる。
【００８７】
集積センサ６２は、紙幣センサ２５と同様の構成をしており、光が遮断されることによって容器６０内の紙幣を検知する。集積センサ６２は、容器６０内の紙幣により光が遮断されるように配置されている。
【００８８】
〈結束部９の構成〉
結束部９は、図３に示すように、テープＴを供給するテープ供給部９１と、テープＴでテープ輪Ｌを作成するテープ輪作成部９２と、紙幣Ｂを前記テープＴで結束するときに該紙幣Ｂを集積方向に押圧するクランプ部９４と、テープＴを紙幣Ｂに巻き付けた状態でテープＴ同士を接合するヒータ９５と、テープＴを紙幣Ｂに巻き付けられていない位置で切断するカッタ９６と、テープＴに印刷する印刷部９７と、テープＴに押印する押印部９８と、を有している。
【００８９】
テープ供給部９１は、テープＴがリールに巻き付けられたテープリール９１１と、テープリール９１１から引き出されるテープＴを搬送するテープ搬送部９１２とを有している。テープ搬送部９１２は、テープＴを所定の搬送経路に沿って搬送する。テープ搬送部９１２は、ガイド（図示省略）と複数のローラ対とを有している。
【００９０】
テープ輪作成部９２は、テープＴでテープ輪Ｌを作成し、集積された紙幣Ｂが該テープ輪Ｌの中に配置された後に該テープＴを引き戻して該テープＴを該紙幣Ｂに巻き付ける。テープ輪作成部９２は、テープＴの送り出し及び引き戻しを行う送り出しローラ対９２０と、テープＴの先端部を把持するテープ把持部９２１と、テープＴでテープ輪Ｌを作成する際にテープ輪Ｌの形状を規定するガイド部９２５と、テープＴの先端を検知する第１テープセンサ９２１０と、大テープ輪Ｌ２が作成されたことを検知する第２テープセンサ９２１１とを有している。テープ輪作成部９２は、詳細な図示は省略するが、テープ把持部９２１によりテープＴで小テープ輪を作成した後、送り出しローラ対９２０によりテープＴを送り出すことによって該小テープ輪を大きくして大テープ輪Ｌ２を作成する。その際、ガイド部９２５は、テープＴを案内して、大テープ輪Ｌ２の形を規定し、第２テープセンサ９２１１は、大テープ輪Ｌ２の形成を検知する。
【００９１】
送り出しローラ対９２０は、テープ送りモータ９２１２（図７参照）により駆動され、テープ輪Ｌを作成する際にテープＴを送り出す。送り出しローラ対９２０は、テープ搬送部９１２の下流端部に位置し、テープ搬送部９１２の一部も構成する。送り出しローラ対９２０は、送り出し部の一例である。尚、テープ搬送部９１２のローラ対も、テープ送りモータ９２１２によりベルト及びギア等を介して駆動される。
【００９２】
また、テープリール９１１には、テープＴの巻き戻し方向にテープリール９１１を回転させるテープリールモータ９１１１（図７参照）が設けられており、紙幣Ｂがテープ輪Ｔの中へ配置された後に、テープＴを紙幣Ｂに巻き付ける際には、このテープリールモータ９１１１とテープ送りモータ９２１２とがテープＴを巻き戻す方向に回転する。テープ送りモータ９２１２及びテープリールモータ９１１１は共に、ステッピングモータにより構成されている。
【００９３】
第１テープセンサ９２１０は、テープＴの搬送路中であって、送り出しローラ対９２０とテープ把持部９２１との間に設けられている。第１テープセンサ９２１０は、紙幣センサ２５と同様の構成をしている。第１テープセンサ９２１０は、光が遮断されることによってテープＴを検知する。例えば、送り出しローラ対９２０がテープＴを引き戻し、第１テープセンサ９２１０において光が遮断された状態から光が受信される状態となったことをもってテープＴの先端を検知することができる。
【００９４】
テープ把持部９２１は、送り出しローラ対９２０から送り出されるテープＴを受け取ることが可能な位置に配置されている。テープ把持部９２１は、詳細な図示は省略するが、送り出しローラ対９２０から送り出されたテープＴの先端部を把持した状態で回転することによってテープ輪Ｌを作成する。
【００９５】
ガイド部９２５は、大テープ輪Ｌ２を作成するときに、該大テープ輪Ｌ２の外周面に接触して該大テープ輪Ｌ２の形状を規定する。ガイド部９２５は、大テープ輪Ｌ２を略長方形状、詳しくは、角部が湾曲した長方形状に規定する。
【００９６】
ガイド部９２５は、大テープ輪Ｌ２の下側から大テープ輪Ｌ２の外周面に接触する下ガイド部９２６と、水平方向から大テープ輪Ｌ２の外周面に接触する第１側方ガイド部９２７及び第２側方ガイド部９２８と、長方形の４つの角部に対応する４つの第１〜第４コーナーガイド部９２９ａ〜９２９ｄとを有している。
【００９７】
下ガイド部９２６は、移動機構が設けられており、移動機構によって上下に移動可能に構成されている。この移動機構は、後述する下クランプ部の移動機構と共通である。
【００９８】
第１側方ガイド部９２７は、下ガイド部９２６の長手方向の結束スタッカ４側の端部において上下方向に延びていて、テープＴの幅方向の位置を規制する。
【００９９】
第２側方ガイド部９２８は、下ガイド部９２６の長手方向の投出部１１側の端部において上下方向に延びている。第２側方ガイド部９２８は、支持部によって上下に移動可能に支持されると共に、リンクを介して下ガイド部９２６に連結されている。これにより、第２側方ガイド部９２８は、下ガイド部９２６の上昇に連動して上昇し、下ガイド部９２６の下降に連動して下降する。尚、第２側方ガイド部９２８の移動量は、リンクにより増幅されている。第２側方ガイド部９２８は、結束紙幣Ｂを搬送するときに、該結束紙幣Ｂの搬送を阻害しないように上方へ退避するように構成されている。
【０１００】
第２テープセンサ９２１１は、紙幣センサ２５と同様の構成をし、光が遮断されることによってテープＴを検知する。第２テープセンサ９２１１の受信部は、図３に概念的に示すように、第４コーナーガイド部９２９ｄに取り付けられている。第２テープセンサ９２１１の送信部は、該送信部からの光が第４コーナーガイド部９２９ｄに案内されているテープＴによって遮断される位置に配置されている。つまり、第２テープセンサ９２１１は、送信部が光を送信しても受信部が光を受信しないことをもって、第４コーナーガイド部９２９ｄがテープＴを案内していること、即ち、テープ輪Ｌが所定の大きさになったことを検知する。
【０１０１】
クランプ部９４は、紙幣Ｂを前記テープＴで結束するときに該紙幣Ｂを集積方向に押圧する。クランプ部９４は、紙幣Ｂのうち、テープＴで結束される結束予定部分の近傍部分を押圧する。クランプ部９４は、テープ輪Ｌの中へ搬送された紙幣Ｂの上方に設けられた上クランプ部と、該紙幣Ｂの下方に設けられた下クランプ部と、下クランプ部を上下に移動させる移動機構とを有している。
【０１０２】
下クランプ部は、上下に移動可能に構成されている。本実施形態では、下クランプ部は、ガイド部９２５の下ガイド部９２６に取り付けられており、下ガイド部９２６と一体的に上下に移動する。つまり、下クランプ部を上下に移動させる移動機構は、下ガイド部９２６の移動機構と共通である。
【０１０３】
ヒータ９５は、テープＴを紙幣Ｂに巻き付けた状態でテープＴ同士を接合する。ヒータ９５は、テープＴ同士を熱溶着する。ヒータ９５は、接合部の一例である。
【０１０４】
カッタ９６は、テープＴを紙幣Ｂに巻き付けられていない部分、即ち、テープＴのうち紙幣Ｂを結束して余った部分を切断する。カッタ９６の先端は、鋸歯状の切断刃が設けられている。カッタ９６は、切断部の一例である。
【０１０５】
ヒータ９５及びカッタ９６は、ユニット化されて、テープ輪Ｌの中へ配置される紙幣Ｂに対して押印部９８とは反対側、具体的には、紙幣Ｂの集積方向において押印部９８とは反対側に配置されている。より詳しくは、ヒータ９５及びカッタ９６は、テープ把持部９２１の上方に配置されている。ヒータ９５は、テープ把持部９２１上でテープＴを接合する。カッタ９６は、テープ把持部９２１上でテープＴを切断する。
【０１０６】
印刷部９７は、図３に示すように、テープ搬送部９１２に設けられている。印刷部９７は、テープ搬送部９１２により搬送されるテープＴに印字を行う印刷ヘッドを有している。印刷部９７は、例えば、結束される紙幣Ｂに関連する情報（例えば、金種、日時、連続番号等）をテープＴに印字する。印刷部９７の印字位置は、印字が押印部９８による押印と重ならないように、押印部９８による押印予定部分に対してテープ幅方向にずれている。
【０１０７】
押印部９８は、前記クランプ部９４で紙幣Ｂを圧縮し且つ該紙幣ＢにテープＴを巻き付けた状態で該テープＴに押印する。押印部９８は、例えば、結束される紙幣Ｂに関連する印（例えば、金融機関印、正券又は損券等の紙幣の種類を表す印等）をテープＴに押印する。押印部９８は、テープ輪Ｌの中へ配置される紙幣Ｂに対してヒータ９５及びカッタ９６とは反対側、具体的には、紙幣Ｂの集積方向においてヒータ９５及びカッタ９６とは反対側に配置されている。押印部９８は、スタンプ９８１と、スタンプ９８１を上下方向に移動させる移動機構（図示省略）とを有している。移動機構がスタンプ９８１を上方へ移動させることによって、スタンプ９８１は、紙幣Ｂに巻き付けられたテープＴに紙幣Ｂの集積方向から押印する。押印部９８は、下ガイド部９２６と一体的に設けられており、下ガイド部９２６が上下方向に移動するときに下ガイド部９２６と一体的に上下方向に移動する。
【０１０８】
〈紙幣処理装置のシステム構成〉
図７は、紙幣処理装置１００の概略構成を示すブロック図である。
【０１０９】
紙幣処理装置１００は、例えば周知のプロセッサをベースとした制御部１２０を備えている。制御部１２０は、各種の情報を記憶する記憶部１２０１を有している。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、第１紙幣センサ４７、第２紙幣センサ４８、集積センサ５２、集積センサ６２、通過センサ７４、第１テープセンサ９２１０、及び第２テープセンサ９２１１が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、ステージ４１、ガイド４２、ロック機構４４ｃ、整列機構４５及び羽根車４６が制御部１２０により制御される。制御部１２０は、処理部の一例である。
【０１１０】
制御部１２０には、データベース１２０２が接続されている。データベース１２０２は、当該紙幣処理装置１００に備えられかつ、入金処理（つまり、取引）に係る計数結果、及び、各紙幣について読み取った記番号の情報を少なくとも記憶する。記番号の情報は、その紙幣が含まれる束を特定する情報と対応づけて記憶される。束を特定する情報とは、紙幣の束を結束するテープに印字される情報である。データベース１２０２は、この紙幣処理装置１００が過去に行った処理の情報も記憶するように構成されており、データベース１２０２は記憶部の一例である。尚、データベース１２０２の記憶容量に応じて、データベース１２０２が記憶をする範囲（例えば、過去半年分の取引内容を記憶する等）が決定される。また、紙幣処理装置１００は、通信部１２０３を介して、上位装置１０００に接続されるようになっており、上位装置１０００もまた、入金処理に係る計数結果、各紙幣について読み取った記番号の情報、及び、束の情報を記憶する。上位装置１０００は、紙幣処理装置１００のデータベース１２０２よりも記憶容量が大きく、より多くの情報（つまり、より遠い過去に処理をした情報）についても記憶することが可能である。上位装置１０００は、紙幣処理装置１００の筐体１２の外に設けられたデータベースに相当する。
【０１１１】
〈紙幣処理装置の動作説明〉
以下、紙幣処理装置１００の処理の一例として入金処理について説明する。入金処理においては、バラ状態の紙幣が分類され、所定のスタッカに集積され、さらには、所定の紙幣は結束される。以下では、結束対象の所定の一種類の紙幣を第１及び第２結束スタッカ４Ａ，４Ｂに所定枚数ずつ交互に集積し、該所定枚数集積した紙幣を順次、結束部９により結束する同一種類結束処理について説明する。
【０１１２】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【０１１３】
ホッパ部２に載置された紙幣は、取込ローラ２３が作動することにより１枚ずつ取込口２４から、筐体１２内へ取り込まれていく。取り込まれた紙幣は、前段搬送部７により搬送され、識別部３を通過する。識別部３は、通過する紙幣の紙幣種別を取得し、その紙幣種別を制御部１２０へ通知する。識別部３はまた、各紙幣の記番号を読み取って認識する。認識した記番号の情報は、データベース１２０２に記憶される。
【０１１４】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【０１１５】
制御部１２０は、紙幣が搬送先となるスタッカに搬送されるように前段搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。さらに、制御部１２０は、搬送先となるスタッカの羽根車４６又は羽根車５１を制御して、紙幣をスタッカ内に搬入する。
【０１１６】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。
【０１１７】
第１結束スタッカ４Ａにおいては、紙幣が搬送されてくると、羽根車４６の回転によって、紙幣が１枚ずつ上方に重ねられていく。第１結束スタッカ４Ａ内に搬入された紙幣はガイド４２に当接することによって、それぞれの長辺が揃った状態となる。
【０１１８】
また、整列機構４５のアーム４５ａは、結束スタッカ４に紙幣Ｂが１枚搬入されるごとに、紙幣Ｂの一方の短辺を押圧して、紙幣Ｂの他方の短辺を扉４４のストッパ４４ｇに当接させる。こうして、集積された紙幣Ｂの短辺を揃える。
【０１１９】
第１結束スタッカ４Ａに集積された紙幣が結束枚数に達すると、制御部１２０は、ガイド４２のうち上側ガイド４２ａを搬送方向前側に回転させ、結束スタッカ４を開口させる。制御部１２０は、第２搬送部８を制御して、把持ユニット８１を該開口から第１結束スタッカ４Ａ内に進入させ、紙幣Ｂを把持させる。把持ユニット８１は、ステージ４１の櫛歯間の隙間に挿通可能な形状をしているので、ステージ４１上の紙幣Ｂをステージ４１に干渉することなく把持することができる。そして、第２搬送部８は、紙幣Ｂを結束スタッカ４から結束部９へ搬送する。その後、結束処理が行われる。
【０１２０】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の結束処理が完了しているので、第１結束スタッカ４Ａ内は空の状態になっている。このように、２つの結束スタッカ４を設けることによって、紙幣の集積を連続して行いつつ、結束処理を行うことができる。
【０１２１】
紙幣の結束が完了すると、制御部１２０は、第３搬送部１０を制御して、結束紙幣を投出部１１から投出させる。
【０１２２】
所定金種の紙幣であって且つ損券紙幣は、第１非結束スタッカ５Ａへ搬送される。第１非結束スタッカ５Ａにおいては、紙幣が搬送されてくると、羽根車５１の回転によって、紙幣を容器５０内に積み重ねていく。こうして、所定金種の紙幣であって且つ損券紙幣は、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１２３】
以上の処理が、ホッパ部２に載置された紙幣が無くなるまで続けられる。ホッパ部２の紙幣の有無は、紙幣センサ２５によって検知される。
【０１２４】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１２５】
尚、第１及び第２非結束スタッカ５Ａ，５Ｂに集積された紙幣については、再度の取込を行わない。
【０１２６】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置１０００へ通知され、入金処理が完了する。上位装置１０００は、入金額の他にも、上述したように、当該紙幣処理装置１００において結束処理等をした各紙幣の記番号の情報を、当該紙幣が含まれる束の情報と関連づけて記憶する。同様に、紙幣処理装置１００のデータベース１２０２も、結束処理等をした各紙幣の記番号の情報を、当該紙幣が含まれる束の情報と関連づけて記憶する。ここで、処理の最中にデータベース１２０２に記憶される情報は、仮確定状態であり、取引の完了時に、記憶されている情報が、仮確定から確定に変更される。
【０１２７】
入金処理の完了後は、オペレータは、投出部１１に集積されている結束紙幣、結束スタッカ４に集積されている紙幣及び非結束スタッカ５に集積されている紙幣を取り出して所定の収納場所に収納する。
【０１２８】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１２９】
ここで、前記の例では、入金処理の完了後に、結束スタッカ４及び非結束スタッカ５に集積されている紙幣をオペレータが取り出すようにしている。つまり、１つの取引毎に、取り扱った紙幣を区別する運用としているが、これとは異なり、例えば複数の取引にまたがって、所定の結束枚数まで紙幣を集積し、結束を行うような運用も考えられる。
【０１３０】
この紙幣処理装置１００は、取引の完了時に、結束スタッカ４及び非結束スタッカ５に集積されている紙幣を取り出すような運用と、取引の完了時に、結束スタッカ４及び非結束スタッカ５に集積されている紙幣を取り出さずに、次回以降の取引において、紙幣の集積をそのまま継続する運用（つまり、残置運用）とを切り換え可能に構成されている。こうした残置運用は、結束スタッカ４のみで行う、非結束スタッカ５のみで行う、及び、結束スタッカ４及び非結束スタッカ５の双方で行うことが可能に構成され、その運用設定は、タッチパネル１７による操作で行う。
【０１３１】
また、この紙幣処理装置１００では、結束スタッカ４及び／又は非結束スタッカ５において集積する枚数を、予め設定した枚数（例えば１００枚）に制限するバッチ設定が可能に構成されている。バッチ設定は、結束スタッカ４のみで行う、非結束スタッカ５のみで行う、及び、結束スタッカ４及び非結束スタッカ５の双方で行う、ことが可能である。結束スタッカ４においてバッチ設定を行うときには、設定した枚数の紙幣が、結束スタッカ４に集積されたときに、その集積した紙幣を結束部９において結束するか、又は、紙幣処理装置１００の動作を一時的に停止して、オペレータが、第１取出口４９を通じて、集積した紙幣を取り出すことが可能である。また、非結束スタッカ５においてバッチ設定を行うときには、設定した枚数の紙幣が、非結束スタッカ５に集積されたときに、紙幣処理装置１００の動作を一時的に停止して、オペレータが、第２取出口５３を通じて、集積した紙幣を取り出すことが可能である。バッチ設定を行わないときには、結束スタッカ４及び／又は非結束スタッカ５には、それらのスタッカ容量（つまり、最大容量）に到達するまで紙幣が集積され、スタッカ容量に到達した時点で、紙幣処理装置１００の動作が一時的に停止するか、又は、結束部９において紙幣の結束が行われる。バッチ設定もまた、タッチパネル１７による操作で行う。
【０１３２】
前述した残置運用、及び、バッチ設定は、それぞれ独立して設定が可能である。残置運用については、「結束スタッカ４のみ残置運用する」、「非結束スタッカ５のみ残置運用する」、「結束スタッカ４及び非結束スタッカ５の双方で残置運用する」及び「結束スタッカ４及び非結束スタッカ５のいずれも残置運用しない」の４通りが可能であり、バッチ設定については、「結束スタッカ４のみバッチ設定する」、「非結束スタッカ５のみバッチ設定する」、「結束スタッカ４及び非結束スタッカ５の双方でバッチ設定する」及び「結束スタッカ４及び非結束スタッカ５のいずれもバッチ設定しない」の４通りが可能である。従って、残置運用及びバッチ設定に関しては、４×４＝１６通りの運用設定が可能である。例えば、結束スタッカ４のみ残置運用がありかつ、結束スタッカ４及び非結束スタッカ５の双方でバッチ設定する場合は、結束スタッカ４については、１つの取引中に所定枚数に到達した時点、又は複数の取引にまたがって紙幣を集積して所定枚数に到達した時点で、紙幣処理装置１００が停止、又は、結束が行われる一方、非結束スタッカ５については、１つの取引中に所定枚数に到達したときのみ、紙幣処理装置１００が停止することになる。
【０１３３】
また例えば、結束スタッカ４及び非結束スタッカ５の双方で残置運用がありかつ、結束スタッカ４のみでバッチ設定する場合は、結束スタッカ４については、１つの取引中に所定枚数に到達した時点、又は複数の取引にまたがって紙幣を集積して所定枚数に到達した時点で、紙幣処理装置１００が停止、又は、結束が行われる一方、非結束スタッカ５については、１つの取引中にスタッカ容量に到達した時点、又は複数の取引にまたがって紙幣を集積してスタッカ容量に到達した時点で、紙幣処理装置１００が停止することになる。
【０１３４】
このような残置運用及びバッチ設定の組み合わせを可能にすることで、紙幣処理装置１００の利便性が高まる。
【０１３５】
〈重複処理のチェック〉
このように構成された紙幣処理装置１００は、取引を確定させる際に、同一の紙幣に対して重複した処理を行っていないかを調査する。
【０１３６】
例えば、処理中に紙幣詰まり等のエラーが発生した場合には、オペレータは、処理を一旦中断して、エラーの原因となった紙幣を紙幣処理装置１００内から取り出し、未処理の紙幣とまとめて、それらを紙幣処理装置１００に再度取り込ませ、再処理する場合がある。その一方で、入金すべき全紙幣の計数及び分別が終了したときに、オペレータは、結束に至らず結束スタッカ４に残留している紙幣や非結束スタッカ５及びリジェクトスタッカ６に集積された紙幣を取り出す。それ以外にも、非結束スタッカ５の第２取出口５３やリジェクトスタッカ６のリジェクト取出口６３には、結束スタッカ４の第１取出口４９のような扉４４が設けられていないので、オペレータは、処理の最中に紙幣を取り出すことが可能である。このように、オペレータが紙幣処理装置１００から紙幣を取り出すことは、様々な状況で起こり得る。このような紙幣処理装置１００においては、オペレータが、紙幣処理装置１００から何らかの理由で取り出された処理済みの紙幣を、再処理すべき紙幣と勘違いして、紙幣処理装置１００に再度取り込ませる可能性がある。その結果、同一の紙幣に対して重複した処理（例えば、入金処理であれば重複した計数）が行われてしまう。
【０１３７】
仮に、重複処理が行われてしまうと、重複処理を含んだ処理結果（例えば、入金処理であれば、入金額、金種ごとの枚数等）が上位装置１０００に転送される。また、重複処理された紙幣を含む処理済みの紙幣が、所定の場所に運ばれ、その後流通していく。そして、その後のどこかのタイミングで重複処理（例えば、違算）が発覚する。その場合、上位装置１０００に記憶された記番号情報や結束紙幣の結束帯に印字された情報から、重複処理が行われた紙幣処理装置１００及び取引が特定され、重複処理を解消するための対応が取られる。しかしながら、紙幣処理装置１００による処理以降で重複処理が発覚すると、それに対する対応が煩雑となったり、困難になってしまう場合もある。
【０１３８】
そこで、紙幣処理装置１００は、同一の紙幣に対して重複した処理が行われていないかを取引の確定時に調査する。以下では、図８のフローチャートを参照しながら、入金処理時の重複処理のチェックについて説明する。
【０１３９】
まず、ステップＳ１において、オペレータの操作により、上述の入金処理が開始される。
【０１４０】
制御部１２０は、ステップＳ２において、上述の入金処理を実行する。すなわち、ホッパ部２から紙幣を取り込み、識別部３によって記番号を読み取り、その後、紙幣を対応するスタッカへ搬送する。続いて、制御部１２０は、ステップＳ３において、オペレータによる取引の確定操作があったか否かを判定する。この取引確定操作とは、上述の、入金額の確定操作である。確定操作が無い場合には、制御部１２０は、ステップＳ２へ戻り、紙幣の取込、記番号の読取及び紙幣の搬送を繰り返す。一方、確定操作があった場合には、制御部１２０は、ステップＳ４へ進む。
【０１４１】
制御部１２０は、ステップＳ４において、記番号の重複調査を行う。詳しくは、制御部１２０は、データベース１２０２に記憶された、仮確定状態の記番号の中から、重複した記番号（以下、「重複記番号」という）を検索する。この例では、仮確定状態の記番号とは、今回の一取引において紙幣処理装置１００に取り込まれた全紙幣の記番号である。
【０１４２】
ステップＳ５において、重複記番号が存在する場合には、制御部１２０はステップＳ６へ進む一方、重複記番号が存在しなかった場合には、制御部１２０はステップＳ９へ進む。
【０１４３】
ステップＳ６において、制御部１２０は、タッチパネル１７に、重複記番号が存在した旨の警告及び重複記番号を表示させる。尚、重複記番号が存在した旨の警告は、重複した処理の検出を意味している。尚、制御部１２０は、重複記番号が存在した旨の警告の代わりに、重複した処理を検出した旨の警告をタッチパネル１７に表示させてもよい。
【０１４４】
それに加えて、制御部１２０は、重複記番号に対するオペレータの対応についての選択肢をタッチパネル１７に表示させ、オペレータの選択を促す。選択肢は、重複記番号に対応する処理のうち１つだけを残し、それ以外の処理を取り消すか、そのまま取引を確定させるかである。
【０１４５】
制御部１２０は、ステップＳ７において、オペレータが重複記番号の取消を選択したか否かを判定する。オペレータが重複記番号の取消を選択した場合には、制御部１２０は、ステップＳ８へ進む。一方、オペレータが取引確定を選択した場合には、制御部１２０は、ステップＳ９へ進む。
【０１４６】
ステップＳ８においては、制御部１２０は、例えば、データベース１２０２から重複記番号のうち時間的に最新の記番号だけを残し、それよりも古い記番号を削除すると共に、削除した記番号に対応する紙幣の処理、具体的には計数を取り消す。つまり、削除した記番号に対応する紙幣の計数枚数が、記番号を削除した数だけ減らされ、合計入金額から、該紙幣を削除した枚数に相当する金額が減ぜられる。
【０１４７】
その後、ステップＳ９において、制御部１２０は、取引を確定させる。
【０１４８】
一方、タッチパネル１７に記番号の重複の警告が表示された際に、オペレータが該記番号に対する対応を先送りしたい場合には、取引確定の選択肢が選択され得る。あるいは、警告の表示に対し、オペレータが重複記番号に対応する紙幣を実際に確認した結果、記番号の誤検出であった場合にも、取引確定の選択肢が選択され得る。記番号を全桁ではなく、一部の桁のみを読み取る場合などに記番号の誤検出は起こり得る。また、記番号の読み取り精度が低い場合や、紙幣の汚損が激しい場合にも、記番号の誤検出は起こり得る。
【０１４９】
オペレータにより取引確定が選択された場合には、制御部１２０は、ステップＳ９において取引を確定させる。このように、紙幣処理装置１００は、取引確定の選択肢を用意しておくことによって、検出された重複記番号に対する不要な対応を省略し得る点で、利便性を向上させることができる。
【０１５０】
このように、紙幣処理装置１００は、１回の取引ごとに重複処理のチェックを行う。紙幣処理装置１００における処理の段階で重複処理に対応しておくことによって、重複処理に対して適時に且つ適切に対応することができる。
【０１５１】
〈エラー時の再処理のチェック〉
また、紙幣処理装置１００は、エラーが発生し、該エラーが復旧した際に再処理すべき紙幣が適切に再処理されたか否かを、取引を確定させる際に調査する。
【０１５２】
例えば、紙幣詰まり等のエラーが生じたときには、紙幣処理装置１００の筐体１２を開けて、エラーの原因となった紙幣を取り出す。このとき、紙幣処理装置１００内、即ち、結束スタッカ４、非結束スタッカ５、リジェクトスタッカ６、前段搬送部７及び後段搬送部８等に残留している紙幣は、未確定状態である。そして、エラー復旧時に紙幣が取り出されることによって、紙幣処理装置１００内に残留する紙幣の枚数が不正確になる虞がある。そこで、エラー時に紙幣処理装置１００内に残留する紙幣は、エラー復旧時に再度、紙幣処理装置１００に取り込んで再処理を行う。尚、エラー時に既に結束された紙幣は、仮確定状態なので、再処理は行わない。
【０１５３】
しかしながら、オペレータのミス等によって、再処理対象の紙幣が再処理されずに取引が続行される虞がある。
【０１５４】
そこで、紙幣処理装置１００は、再処理対象の紙幣が適切に再処理されたか否かを取引の確定時に調査する。詳しくは、制御部１２０は、エラー発生時に、紙幣処理装置１００内に残留している紙幣の記番号を再処理対象としてデータベース１２０２に一時的に記憶しておく。
【０１５５】
そして、制御部１２０は、取引確定時、すなわち、オペレータによる取引の確定操作があったときに、入金処理が完了して仮確定状態となった記番号の中に、再処理対象として一時的に記憶しておいた記番号が含まれているか否かを検索する。
【０１５６】
再処理対象の記番号が入金処理を確定させる記番号の中に含まれていない場合は、制御部１２０は、タッチパネル１７に、再処理が行われていない旨の警告及び、再処理対象の記番号を表示する。それに加えて、制御部１２０は、再処理に対するオペレータの対応についての選択肢をタッチパネル１７に表示し、オペレータの選択を促す。選択肢は、再処理を行うか、再処理を行うことなく、そのまま取引を確定させるかである。
【０１５７】
再処理が選択された場合には、制御部１２０は、オペレータによりホッパ部２に載置された、再処理対象の紙幣の取込を開始する。
【０１５８】
尚、重複処理のチェックのときと同様に、対応を先送りしたい場合や、記番号の誤検出が確認された場合等には、取引確定が選択され得る。
【０１５９】
こうして、取引確定時に記番号に基づいて再処理対象の紙幣の再処理が実行されたか否かを確認することによって、再処理すべき紙幣が再処理されなかったことを正確に且つ早期に検出することができる。
【０１６０】
以上のように、紙幣処理装置１００は、紙幣を取り込むホッパ部２と、前記ホッパ部２から取り込まれた紙幣の記番号を読み取る識別部３と、前記識別部３により読み取られた記番号を記憶するデータベース１２０２と、紙幣の処理を行う制御部１２０とを備え、前記制御部１２０は、前記データベース１２０２に記憶された記番号の中から重複した記番号を調査し、重複した記番号が存在することをもって、該重複した記番号に対応した紙幣に対して重複して処理が行われたことを検出する。
【０１６１】
この構成によれば、ホッパ部２から取り込まれた紙幣は、識別部３によって記番号が読み取られ、該記番号はデータベース１２０２に記憶される。そして、制御部１２０は、該紙幣に対して所定の処理、例えば、計数を実行する。ここで、記番号は、各紙幣に固有の識別番号であるので、データベース１２０２に重複した記番号が記憶されていると、それは、同一の紙幣が重複して取り込まれ、識別され、処理が行われたことを意味する。そこで、制御部１２０は、データベース１２０２に重複記番号が存在することをもって、同一の紙幣に対して重複して処理が行われたことを検出している。このように、固有の識別番号である記番号に基づいているので、重複処理を正確に検出することができる。また、この紙幣処理装置１００において重複処理の検出も行うので、重複処理を早期に検出することができる。
【０１６２】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６３】
前記実施形態について、以下のような構成としてもよい。
【０１６４】
前記実施形態では、紙葉類処理装置の例として紙幣処理装置１００について説明したが、紙葉類処理装置はこれに限られるものではない。例えば、紙葉類の識別、分配、集積は別の装置で行い、紙葉類処理装置は、バラ状態の紙葉類を搬送して集積部に集積し、該集積部に集積された紙葉類を搬送部によって別の場所へ搬送する処理のみを行う装置であってもよい。また、紙葉類の例として紙幣について説明したが、紙葉類は紙幣に限られず、商品券等の金券であってもよい。
【０１６５】
また、前記紙幣処理装置１００の構成は、一例であって、これに限られるものではない。例えば、紙幣処理装置１００は、結束スタッカ４が２つ設けられ、非結束スタッカ５が２つ設けられ、リジェクトスタッカ６が１つ設けられているが、これらの個数はこれに限られるものではない。例えば、結束スタッカ４は、１つ又は３つ以上であってもよい。非結束スタッカ５は、１つ又は３つ以上であってもよい。リジェクトスタッカ６は、２以上であってもよい。あるいは、非結束スタッカ５及びリジェクトスタッカ６を省略してもよい。
【０１６６】
以上の説明では、入金処理における重複処理のチェックについて説明したが、重複処理のチェックを行うのは、入金処理に限られるものではない。例えば、出金処理時に重複処理のチェックを行ってもよい。
【０１６７】
また、紙幣処理装置１００は、取引の確定操作が行われるときに、重複処理のチェックを行っているが、これに限られるものではない。例えば、紙幣処理装置１００は、紙幣を取り込み、識別部３により記番号を読み取った際に、それまでに処理され、データベース１２０２に記憶されている記番号と照合し、記番号の重複を検索してもよい。これにより、重複処理をできるだけ早く検出することができる。重複処理が早く検出されると、それに対応する際の煩雑さが軽減される。ただし、前述の如く、取引確定時等の紙幣に対する一通りの処理が終了したときに、重複処理を一括して調査する方が、制御部１２０に対する負荷が軽減されるので、重複処理のチェックを含めた全体的な処理時間を短縮することができる。
【０１６８】
また、取引の確定操作ではなく、それ以外の操作によって重複処理のチェックを行ってもよい。例えば、全ての紙幣の取り込みが終わった後で、取引の確定操作が行われる前に、重複処理のチェックを実行するための操作をオペレータに行わせるようにしてもよい。あるいは、制御部１２０が、全ての紙幣の取り込みを検知したときに、重複処理のチェックを自動的に開始するようにしてもよい。
【０１６９】
また、前記実施形態では、一取引ごとに重複処理を調査しているが、これに限られるものではない。例えば、紙幣処理装置１００は、所定時間ごと、例えば、１日ごとに重複処理を調査してもよい。また、紙幣処理装置１００から上位装置１０００への取引情報の転送が一取引ごとではなく、複数回の取引の取引情報をまとめて上位装置１０００へ転送する場合等には、紙幣処理装置１００は、取引情報を上位装置１０００へ転送する際に、転送すべき取引情報内で重複処理を調査してもよい。
【０１７０】
さらに、以上の説明では、重複処理が検出されたときにそれに対する対応をオペレータに選択させているが、制御部１２０が自動的に対応してもよい。例えば、制御部１２０は、重複処理を検出した場合に、重複記番号に対する処理のうちの１つを残し、それ以外を取り消すようにしてもよい。つまり、重複処理が検出されたときに、制御部１２０が自動的に対応する。例えば、重複記番号のうち最新のものだけを残し、それ以外を削除すると共に、削除した記番号に対する処理も削除する。これにより、重複処理が修正され、重複処理のうち１つだけが残ることになる。その際には、制御部１２０は、重複した処理の検出をタッチパネル１７を介してユーザに報知するようにしてもよい。つまり、重複処理が自動的に修正され、オペレータにはその報告だけがされる。
【０１７１】
また、重複した処理の検出をユーザに報知するための表示部は、タッチパネル１７に限られるものではない。表示部は、タッチパネルの機能を有さない液晶ディスプレイであってもよい。また、ユーザに報知する手段は、ランプ等の表示であってもよい。さらには、ユーザに報知する手段は、警告音や音声等であってもよい。
【０１７２】
前述の如く、処理部が重複処理に対して自動的に対応する場合であっても、重複した処理の検出がユーザに報知される。ユーザは、重複処理に対して特段の対応を取る必要はないが、重複した処理があったことを知ることができる。
【産業上の利用可能性】
【０１７３】
以上説明したように、ここに開示された技術は、紙葉類処理装置について有用である。
【符号の説明】
【０１７４】
１００      紙幣処理装置（紙葉類処理装置）
２          ホッパ部（取込部）
３          識別部
１２０      制御部（処理部）
１２０２    データベース（記憶部）
１７        タッチパネル（表示部）
【図１】
2015184712.tif 000003
【図２】
2015184712.tif 000004
【図３】
2015184712.tif 000005
【図４】
2015184712.tif 000006
【図５】
2015184712.tif 000007
【図６】
2015184712.tif 000008
【図７】
2015184712.tif 000009
【図８】
2015184712.tif 000010